(57)【要約】【課題】  ｘＤＳＬ通信システムにおけるユーザ・トラフィックを監視、及び制御し、通信品質を良好に維持すること。【解決手段】  品質検出部２０３は、ＤＳＬＡＭとＣＰＥとの間に形成される制御チャネルを流れる制御信号、及びユーザトラフィックを流れるデータ信号の品質を監視し、ループ試験実行部２０９は、所定の時間間隔で稼動し、制御チャネルに予め定められている所定の制御信号を送信し、ＣＰＥから制御信号に対する応答信号を受信し、装置状態判断部２０５は、ループ試験実行部２０９が稼動中における、品質検出部２０３による制御信号の品質監視結果に基づいてＣＰＥの装置状態を判断し、回線状態判断部２０６は、装置状態判断部２０５の判断結果が装置状態正常であると、品質検出部２０３によるデータ信号の品質監視結果に基づいて回線状態を判断する。【選択図】        図２
2007194826.tif 000002
【特許請求の範囲】
【請求項１】
ＤＳＬＡＭ（局内多重化装置）とＣＰＥ（顧客構内装置）との間に形成される制御チャネルを流れる制御信号、及びＤＳＬＡＭとＣＰＥとの間に形成されるユーザトラフィックを流れる搬送データ信号の品質を監視する品質検出部と、
所定の時間間隔で稼動し、予め定められている所定の制御信号を前記制御チャネルに送信し、前記ＣＰＥから前記制御信号に対する応答信号を受信するループ試験実行部と、
前記ループ試験実行部が稼動中における、前記品質検出部による前記制御信号の品質監視結果に基づいて前記ＣＰＥの装置状態を判断する装置状態判断部と、
前記装置状態判断部の判断結果が装置状態正常であると、前記品質検出部による前記搬送データ信号の品質監視結果に基づいて回線状態を判断する回線状態判断部とを備えることを特徴とするｘＤＳＬシステム用のＤＳＬＡＭ。
【請求項２】
前記回線状態判断部による判断結果が回線状態異常であると、
前記ＤＳＬＡＭとＣＰＥとの間に形成されているユーザトラフィックを停止させて、前記ＣＰＥ装置に対する初期化設定処理を実行する初期化設定部を更に備えることを特徴とする請求項１に記載のｘＤＳＬシステム用のＤＳＬＡＭ。
【請求項３】
前記装置状態判断部による装置状態判断に用いる閾値、及び、前記回線状態判断部による回線状態判断に用いる閾値を予め格納するデータ記憶部を更に備えることを特徴とする請求項１に記載のｘＤＳＬシステム用のＤＳＬＡＭ。
【請求項４】
ＣＰＥとＤＳＬＡＭとの間に形成される制御チャネルを流れる制御信号の品質、及びＣＰＥとＤＳＬＡＭとの間に形成されるユーザトラフィックを流れる搬送データ信号の品質を監視する品質検出部と、
所定の時間間隔で稼動し、予め定められている所定の制御信号を前記制御チャネルに送信し、前記ＤＳＬＡＭから前記制御信号に対する応答信号を受信するループ試験実行部と、
前記ループ試験実行部が稼動中における、前記品質検出部による前記制御信号の品質監視結果に基づいて前記ＤＳＬＡＭの装置状態を判断する装置状態判断部と、
前記装置状態判断部の判断結果がＤＳＬＡＭ状態正常であると、前記品質検出部による前記搬送データ信号の監視結果に基づいて回線状態を判断する回線状態判断部とを備えることを特徴とするｘＤＳＬシステム用のＣＰＥ。
【請求項５】
前記回線状態判断部による判断結果が回線状態異常であると、
前記ＣＰＥとＤＳＬＡＭとの間に形成されているユーザトラフィックを停止させて、前記ＤＳＬＡＭに対する初期化設定処理を実行する初期化設定部を更に備えることを特徴とする請求項４に記載のｘＤＳＬシステム用のＣＰＥ。
【請求項６】
前記装置状態判断部による装置状態判断に用いる閾値、及び、前記回線状態判断部による回線状態判断に用いる閾値を予め格納するデータ記憶部を更に備えることを特徴とする請求項４に記載のｘＤＳＬシステム用のＣＰＥ。
【請求項７】
所定の情報装置を有するＬＡＮ伝送路と接続するＬＡＮ・Ｉ／Ｆ部と、
前記ＬＡＮ・Ｉ／Ｆ部を介して、予め定められている時間間隔で、予め定められている制御信号を前記ＬＡＮ伝送路へ送信し、該制御信号の応答信号を受入れて、前記ＬＡＮ伝送路が正常状態であるか否かを判断し、判断結果が異常状態であると、ＬＡＮ異常通知を生成する自律診断実行部とを備え、
前記自律診断実行部は、前記実施例１に記載のＤＳＬＡＭから前記所定の時間間隔で予め定められている所定の制御信号を受入れると、該制御信号の応答信号に前記ＬＡＮ異常通知を含めることを特徴とするｘＤＳＬシステム用のＣＰＥ。
【発明の詳細な説明】
【技術分野】
【０００１】
本発明は、ｘＤＳＬ通信システムにおけるユーザ・トラフィックを監視、及び制御し、通信品質を良好に維持する、ＤＳＬＡＭ（局内多重化装置）及びＣＰＥ（顧客構内装置）に関する。
【背景技術】
【０００２】
既存の電話回線を介して高速のデータ通信を実現するｘＤＳＬ通信システムが普及している。このシステムでは、ｘＤＳＬ加入者回線の回線状態によって通信速度が大幅に異なる。従って、回線状態の監視と制御が大きな技術的課題となり、この課題の解決を目的とした従来技術も多数開示されている（例えば特許文献１参照）。かかる技術では、回線中におけるノイズの発生状況等を調べるために監視部を備え、絶えず回線状態を監視することとしている。
【特許文献１】特開２００４−２３６０９４号公報
【発明の開示】
【発明が解決しようとする課題】
【０００３】
しかしながら、従来の技術では、監視部が絶えず回線状態を監視してはいるが、不具合動作の発生が、ＩＳＤＮ回線からの影響によるノイズの増加等、回線状態の不具合に起因するものか、あるいは又、ＣＰＥ（顧客構内装置）の故障等、機器の不具合に起因するものか、等の判定が出来なかったために、正確且つ迅速な回線制御を実行することが困難であった。
【課題を解決するための手段】
【０００４】
本発明は、ｘＤＳＬシステム用のＤＳＬＡＭ（局内多重化装置）であって、ＤＳＬＡＭとＣＰＥ（顧客構内装置）との間に形成される制御チャネルを流れる制御信号、及びＤＳＬＡＭとＣＰＥとの間に形成されるユーザトラフィックを流れる搬送データ信号の品質を監視する品質検出部と、所定の時間間隔で稼動し、予め定められている所定の制御信号を上記制御チャネルに送信し、上記ＣＰＥ装置から上記制御信号に対する応答信号を受信するループ試験実行部と、上記ループ試験実行部が稼動中における、上記品質検出部による上記制御信号の品質監視結果に基づいて上記ＣＰＥの装置状態を判断する装置状態判断部と、上記装置状態判断部の判断結果が装置状態正常であると、上記品質検出部による上記搬送データ信号の品質監視結果に基づいて回線状態を判断する回線状態判断部とを備えることを主要な特徴とする。
【発明の効果】
【０００５】
ＤＳＬＡＭから所定の時間間隔で、予め定められている所定の制御信号を制御チャネルに送信してＣＰＥに対するループ試験を実行し、ＣＰＥの装置状態が正常であることを確認した後にＤＳＬＡＭとＣＰＥとの間に形成されるユーザトラフィックの回線状態を判断することになるので、その判断結果は正確であり、回線障害に対して適切、且つ迅速なる対応が可能になるという効果を得る。
【発明を実施するための最良の形態】
【０００６】
本発明では、主要な構成部分の全てを、従来技術における制御プログラムを変更することのみによって形成したためハードウエアを追加することなく実施できた。
【実施例１】
【０００７】
図１は、本発明によるＤＳＬＡＭ及びＣＰＥを含む通信システムの構成図である。
図に示すように本発明によるＤＳＬＡＭ２００及びＣＰＥ１００を含む通信システム３００は、加入者側に配置されているＰＣ（パーソナルコンピュータ）１等の情報機器から、加入者線７を介して局側に接続されているインターネット網１１にアクセス可能なシステムを形成する。更に、ＣＰＥ１００とＰＣ１との間にＬＡＮ（ローカルエリアネットワーク）を介在させても良い。
【０００８】
本発明の要部をなす、ＤＳＬＡＭ２００とＣＰＥ１００について詳細に説明する。他の部分については、後に動作説明の中で必要に応じて、その内容説明を行う。
図２は、本発明によるＤＳＬＡＭの機能ブロック図である。
この図は、本発明の目的である、ｘＤＳＬ通信システムにおけるユーザ・トラフィックを監視、及び制御し、通信品質を良好に維持し、回線障害に対して適切、且つ迅速な対応を可能にする機能を主にして、本発明の構成を説明するためのＤＳＬＡＭの機能ブロック図である。
【０００９】
図に示すように本発明によるＤＳＬＡＭ２００は、ｘＤＳＬ・Ｉ／Ｆ部２０１と、送受信制御部２０２と、品質検出部２０３と、信号検出部２０４と、装置状態判断部２０５と、回線状態判断部２０６と、データ記憶部２０７と、初期化設定部２０８と、ループ試験実行部２０９と、ＣＰＵ２１０と、ＲＯＭ２１１と、ＲＡＭ２１２とを備える。
【００１０】
ｘＤＳＬ・Ｉ／Ｆ部２０１は、ＤＳＬＡＭ２００と、下り方向監視制御チャネル２１５、下り方向ユーザ・トラフィック２１６、上り方向監視制御チャネル２１７、及び上り方向ユーザ・トラフィック２１８とを通信接続するインタフェース回路である。
【００１１】
送受信制御部２０２は、ｘＤＳＬ・Ｉ／Ｆ部２０１を制御し、ＤＳＬＡＭ２００と、下り方向監視制御チャネル２１５、下り方向ユーザ・トラフィック２１６、上り方向監視制御チャネル２１７、及び上り方向ユーザ・トラフィック２１８との間で所定の制御信号、及び多重化信号を送受信させる部分である。この部分は、ＲＯＭ２１１に予め格納されている所定の制御プログラムをＣＰＵ２１０が実行することによって起動・生成される機能をブロックで表した部分である。
【００１２】
品質検出部２０３は、ｘＤＳＬ・Ｉ／Ｆ部２０１が送受信制御部２０２の制御に基づいて受信する制御信号、または多重化信号を監視し、それら信号の品質状態（例えば、ＳＮＲ、データ速度、稼動負荷率等々）を検出して装置状態判断部２０５または回線状態判断部２０６へ送出する部分である。ここでＳＮＲとは、Ｓｉｇｎａｌ  ｔｏ  Ｎｏｉｓｅ  Ｒｅｉｔｏを表す。
【００１３】
信号検出部２０４は、ｘＤＳＬ・Ｉ／Ｆ部２０１が送受信制御部２０２の制御に基づいて受信する制御信号、または多重化信号を監視し、対抗するＣＰＥ１００（図１）の電源のＯＮ／ＯＦＦ状態を確認する部分である。
【００１４】
装置状態判断部２０５は、ループ試験実行部２０９の制御に基づいて、ループ試験実行部２０９の稼動中に、品質検出部２０３から制御信号の品質状態を取得し、予めデータ記憶部２０７に格納されている閾値と比較し、対抗するＣＰＥ１００（図１）が正常動作しているか否かを判断する部分である。この部分は、ＲＯＭ２１１に予め格納されている所定の制御プログラムをＣＰＵ２１０が実行することによって起動・生成される機能をブロックで表した部分である。
【００１５】
回線状態判断部２０６は、品質検出部２０３から制御信号または多重化信号の品質状態を受入れて、予めデータ記憶部２０７に格納されている閾値と比較し、対抗するＣＰＥ１００（図１）との間の回線状態（例えば、ＳＮＲ、データ速度、稼動負荷率、等々）が正常状態であるか否かを判断する部分である。この部分は、ＲＯＭ２１１に予め格納されている所定の制御プログラムをＣＰＵ２１０が実行することによって起動・生成される機能をブロックで表した部分である。
【００１６】
データ記憶部２０７は、装置状態判断部２０５及び回線状態判断部２０６が所定の判断に用いる閾値、及び判断に必要なデータを予め格納する不揮発性のメモリである。更に初期化設定部２０８の制御に基づいて所定のデータをデータ履歴として格納しておくメモリでもある。
【００１７】
初期化設定部２０８は、ＤＳＬＡＭ２００の動作開始時点、または、ループ試験実行部２０９によるループ試験実行後において、回線状態判断部２０６の判断結果が、対抗するＣＰＥ１００（図１）との間の回線状態が異常である、との判断結果に基づいて、ユーザトラフィックを停止させて、通信モードや搬送波の周波数、データの通信速度等を再設定する部分である。この部分は、ＲＯＭ２１１に予め格納されている所定の制御プログラムをＣＰＵ２１０が実行することによって起動・生成される機能をブロックで表した部分である。
【００１８】
ループ試験実行部２０９は、ｘＤＳＬ・Ｉ／Ｆ部２０１及び送受信制御部２０２を制御し、所定の時間間隔で制御チャネルに予め定められている所定の制御信号を送信し、ＣＰＥ１００（図１）から制御信号に対する応答信号を受信するループ試験を実行する部分である。この部分は、ＲＯＭ２１１に予め格納されている所定の制御プログラムをＣＰＵ２１０が実行することによって起動・生成される機能をブロックで表した部分である。
【００１９】
ＣＰＵ２１０は、ＲＯＭ２１１に予め格納されている所定の制御プログラムを実行してＤＳＬＡＭ２００全体を制御するマイクロプロセッサである。特に本実施例では、ＲＯＭ２１１に予め格納されている所定の制御プログラムを実行して、上記送受信制御部２０２、装置状態判断部２０５、回線状態判断部２０６、初期化設定部２０８、及びループ試験実行部２０９を起動・生成する部分である。
【００２０】
ＲＯＭ２１１は、ＣＰＵ２１０が実行して、ＤＳＬＡＭ２００全体を制御する制御プログラム、上記送受信制御部２０２、装置状態判断部２０５、装置状態判断部２０５、初期化設定部２０８、及びループ試験実行部２０９を起動・生成する制御プログラムを予め格納するリードオンリーメモリである。ＲＡＭ２１２は、ＣＰＵ２１０が演算処理の実行中に必要となる演算領域を形成するランダムアクセスメモリである。共通バス２１３は、上記各部分を通信接続するデータ線路である。
【００２１】
図３は、実施例１によるＣＰＥの機能ブロック図である。
この図は、本発明の目的である、ｘＤＳＬ通信システムにおけるユーザ・トラフィックを監視、及び制御し、通信品質を良好に維持し、回線障害に対して適切、且つ迅速な対応を可能にする機能を主にして、実施例１の構成を説明するためのＣＰＥの機能ブロック図である。
【００２２】
図に示すように本実施例によるＣＰＥ１００は、ｘＤＳＬ・Ｉ／Ｆ部１０１と、送受信制御部１０２と、品質検出部１０３と、信号検出部１０４と、装置状態判断部１０５と、回線状態判断部１０６と、初期化設定部１０７と、ループ試験実行部１０８と、データ記憶部１０９と、ＣＰＵ１１０と、ＲＯＭ１１１と、ＲＡＭ１１２と、共通バス１１３とを備える。
【００２３】
ｘＤＳＬ・Ｉ／Ｆ部１０１は、ＣＰＥ１００と、下り方向監視制御チャネル２１５、下り方向ユーザ・トラフィック２１６、上り方向監視制御チャネル２１７、及び上り方向ユーザ・トラフィック２１８とを通信接続するインタフェース回路である。
【００２４】
送受信制御部１０２は、ｘＤＳＬ・Ｉ／Ｆ部１０１を制御し、ＣＰＥ１００と、下り方向監視制御チャネル２１５、下り方向ユーザ・トラフィック２１６、上り方向監視制御チャネル２１７、及び上り方向ユーザ・トラフィック２１８との間で所定の制御信号、及び多重化信号を送受信させる部分である。この部分は、ＲＯＭ１１１に予め格納されている所定の制御プログラムをＣＰＵ１１０が実行することによって起動・生成される機能をブロックで表した部分である。
【００２５】
品質検出部１０３は、ｘＤＳＬ・Ｉ／Ｆ部１０１が送受信制御部１０２の制御に基づいて受信する制御信号、または多重化信号の品質状態（例えば、ＳＮＲ、データ速度、稼動負荷率、等々）を検出して装置状態判断部１０５または回線状態判断部１０６へ送出する部分である。
【００２６】
信号検出部１０４は、ｘＤＳＬ・Ｉ／Ｆ部１０１が送受信制御部１０２の制御に基づいて受信する制御信号、または多重化信号を監視し、対抗するＤＳＬＡＭ２００（図１）の電源のＯＮ／ＯＦＦ状態を確認する部分である。
【００２７】
装置状態判断部１０５は、ループ試験実行部１０８の制御に基づいて、ループ試験実行部１０８の稼動中に、品質検出部１０３から制御信号の品質状態を取得し、予めデータ記憶部１０９に格納されている閾値と比較し、対抗するＤＳＬＡＭ２００（図１）が正常動作しているか否かを判断する部分である。この部分は、ＲＯＭ１１１に予め格納されている所定の制御プログラムをＣＰＵ１１０が実行することによって起動・生成される機能をブロックで表した部分である。
【００２８】
回線状態判断部１０６は、品質検出部１０３から制御信号または多重化信号の品質状態を取得し、予めデータ記憶部１０９に格納されている閾値と比較し、対抗するＤＳＬＡＭ２００（図１）との間の回線状態（例えば、ＳＮＲ、データ速度、稼動負荷率等々）が正常状態であるか否かを判断する部分である。この部分は、ＲＯＭ１１１に予め格納されている所定の制御プログラムをＣＰＵ１１０が実行することによって起動・生成される機能をブロックで表した部分である。
【００２９】
初期化設定部１０７は、ＣＰＥ１００の動作開始時点、または、ループ試験実行部１０８によるループ試験実行後において、回線状態判断部１０６の判断結果が、対抗するＤＳＬＡＭ２００（図１）との間の回線状態（例えば、ＳＮＲ、データ速度、稼動負荷率等々）が異常である、との判断結果に基づいて、ユーザトラフィックを停止させ、通信モードや搬送波の周波数、データの通信速度等を再設定する部分である。この部分は、ＲＯＭ１１１に予め格納されている所定の制御プログラムをＣＰＵ１１０が実行することによって起動・生成される機能をブロックで表した部分である。
【００３０】
ループ試験実行部１０８は、ｘＤＳＬ・Ｉ／Ｆ部１０１及び送受信制御部１０２を制御し、所定の時間間隔で予め定められている所定の制御信号を制御チャネルに送信し、ＤＳＬＡＭ２００（図１）から制御信号に対する応答信号を受信するループ試験を実行する部分である。この部分は、ＲＯＭ１１１に予め格納されている所定の制御プログラムをＣＰＵ１１０が実行することによって起動・生成される機能をブロックで表した部分である。
【００３１】
データ記憶部１０９は、装置状態判断部１０５及び回線状態判断部１０６が所定の判断に用いる閾値、及び判断に必要なデータを予め格納する不揮発性のメモリである。又、初期化設定部１０７の制御に基づいて所定のデータをデータ履歴として格納しておくメモリでもある。
【００３２】
ＣＰＵ１１０は、ＲＯＭ１１１に予め格納されている所定の制御プログラムを実行してＣＰＥ１００全体を制御するマイクロプロセッサである。特に本実施例では、ＲＯＭ１１１に予め格納されている所定の制御プログラムを実行して、上記送受信制御部１０２、装置状態判断部１０５、回線状態判断部１０６、初期化設定部１０７、ループ試験実行部１０８を起動・生成する部分である。
【００３３】
ＲＯＭ１１１は、ＣＰＵ１１０が実行して、ＣＰＥ１００全体を制御する制御プログラム、上記送受信制御部１０２、装置状態判断部１０５、回線状態判断部１０６、初期化設定部１０７、ループ試験実行部１０８を起動・生成する制御プログラムを予め格納するリードオンリーメモリである。ＲＡＭ１１２は、ＣＰＵ１１０が演算処理の実行中に必要となる演算領域を形成するランダムアクセスメモリである。共通バス１１３は、上記各部分を通信接続するデータ線路である。
【００３４】
次に図１に戻って、上記システムの全体動作について説明する。
加入者側では、ＰＣ１から送信されるデータ信号は、ＣＰＥ１００を介して所定の搬送波をデータ信号で変調した搬送データ信号に変換され、加入者側スプリッタ６に伝送される。一方、電話機４から送信される通話信号は、ＰＢＸ（構内交換機）５を介して加入者側スプリッタ６に伝送される。搬送波信号と通話信号とは加入者側スプリッタ６で多重化され、加入者線７を介して局側スプリッタ８へ送信される。
【００３５】
ここで、加入者側スプリッタ６は、加入者側に配置され、ＣＰＥ１００から搬送データ信号（通話信号帯域よりも高い周波数帯域）を受入れ、ＰＢＸ５から通話信号（通常数ＫＨｚ以下のアナログ信号）を受入れて多重化し、加入者線７を介して局側スプリッタ８へ送出する部分である。また、加入者線７を介して局側スプリッタ８から搬送データ信号と通話信号とが多重化された信号を受入れて搬送データ信号と通話信号とに分離し、搬送データ信号をＣＰＥ１００へ、通話信号をＰＢＸ５へ、それぞれ送出する部分である。
【００３６】
局側スプリッタ８は、加入者線７を介して搬送データ信号と通話信号とが多重化された信号を受信すると、搬送データ信号と通話信号とに分離し、搬送データ信号をＤＳＬＡＭ２００へ、通話信号を電話交換機１０へ、それぞれ送出する。ＤＳＬＡＭ２００は、集局される多数チャネルの搬送データ信号をデータ信号に変換して集線し、インターネット網１１へ送信する。一方、電話交換機１０は、集局される多数チャネルの通話信号を集線して加入者電話網１２へ送信する。
【００３７】
ここで、局側スプリッタ８は、局側において、加入者線７を介して加入者側スプリッタ６から搬送データ信号と通話信号とが多重化された信号を受入れて搬送データ信号と通話信号とに分離し、搬送データ信号をＤＳＬＡＭ２００へ、通話信号を電話交換機１０へ、それぞれ送出する部分である。また、ＤＳＬＡＭ２００から搬送データ信号を受入れ、電話交換機１０から通話信号を受入れて多重化し、加入者線７を介して加入者側スプリッタ６へ送出する部分である。
【００３８】
インターネット網１１からＰＣ１へ向けて送信されるデータ信号、及び加入者電話網１２から電話機４へ向けて送信される通話信号は、上記説明と同一の信号通路を上記説明とは逆方向へ進行し、逆の処理がなされるだけなので説明を省略する。
【００３９】
次に、図２に戻って、ネットワークをＤＳＬＡＭ２００側からシステムを監視、及び制御する動作について５段階のステップに分けて説明する。
【００４０】
ステップＳ１−１
ＤＳＬＡＭ２００が稼動を開始すると初期化設定部２０８がｘＤＳＬ・Ｉ／Ｆ部２０１、送受信制御部２０２、品質検出部２０３、信号検出部２０４を制御し、初期化設定を実行する。初期化設定では最初にモード設定が実行され、例えばアネックスＣモードが設定される。次にトレーニングが実行され所定の搬送周波数とデータの通信速度が設定される。ここで設定された、モード、搬送周波数、データの通信速度等は、初期化設定部２０８によってデータ記憶部２０７へ履歴として格納される。初期化設定後データ通信が開始される。
【００４１】
ステップＳ１−２
ループ試験実行部２０９は、ｘＤＳＬ・Ｉ／Ｆ部２０１及び送受信制御部２０２を制御し、予め定められ、データ記憶部２０７に格納されている所定の制御信号を所定の時間間隔で制御チャネルに送信し、ＣＰＥ１００（図１）から制御信号に対する応答信号を受信するループ試験を実行する。
【００４２】
ステップＳ１−３
装置状態判断部２０５は、ｘＤＳＬ・Ｉ／Ｆ部２０１、送受信制御部２０２、品質検出部２０３、及び信号検出部２０４を介して上り方向監視制御チャネル２１７を流れる応答信号から所定の監視データを取得する。装置状態判断部２０５は、監視データを取得すると、データ記憶部２０７から、予め設定されている装置状態が正常である場合の閾値を取得して対比する。もし、監視結果が閾値を満足する場合には装置状態正常と判断し、装置状態正常通知を回線状態判断部２０６へ送出してステップＳ１−４へ進む。もし、監視結果が閾値を満足しない場合には装置状態異常と判断し、図示しない警報手段から所定の警報を発して管理者に通知して以後の処理を停止させる。
【００４３】
ステップＳ１−４
回線状態判断部２０６は、装置状態判断部２０５から装置状態正常通知を受入れると、ｘＤＳＬ・Ｉ／Ｆ部２０１、送受信制御部２０２、品質検出部２０３、及び信号検出部２０４を介して上り方向ユーザ・トラフィック２１８を流れる搬送データ信号から所定の監視データを取得する。監視データを受入れると、データ記憶部２０７から、予め設定されている回線状態が正常である場合の閾値を取得して対比する。もし、監視結果が閾値を満足する場合には回線状態正常と判断し、次回のループ試験までデータ通信を継続させる。もし、監視結果が閾値を満足しない場合には回線状態異常と判断し、回線状態異常通知を初期化設定部２０８へ送出する。
【００４４】
ステップＳ１−５
初期化設定部２０８は、回線状態判断部２０６から回線状態異常通知を受入れると、ユーザ・トラフィックを停止させ、上記ステップＳ１−１と同様の手順で初期化設定を再度実行する。以後、ステップＳ１−１からステップＳ１−４は繰り返し実行される。
【００４５】
上記ステップＳ１−４で回線状態判断部２０６が回線状態異常と判断する条件は以下の通りである。
（１）フィールド開通時にユーザトラフィックにおけるデータ通信速度を測定しておき、測定した値を基準データ通信速度として予めデータ記憶部２０７へ格納しておく。ステップＳ１−４で取得したデータ通信速度が、基準データ通信速度よりも所定の割合低下し、その低下した状態が所定の時間以上継続した場合回線状態異常と判断する。ここで所定の割合、及び所定の時間は予め定められデータ記憶部２０７へ格納されている。
（２）ＤＳＬＡＭの稼動負荷率が所定の値を超えたとき回線状態異常と判断する。この所定の値は予め定められデータ記憶部２０７へ格納されている。
（３）その他、各システムの事情に応じてあらかじめ定められている特定の監視項目に対して、規定値を超えたとき回線状態異常と判断する。この規定値は予め定められデータ記憶部２０７へ格納されている。
【００４６】
通常は、上記のようにＤＳＬＡＭ２００側から監視、及び制御するのが一般的であるが、ときにはネットワークをＣＰＥ１００側から監視、及び制御する場合もありうるので、図３に戻って、ネットワークをＣＰＥ１００側から監視する動作について５段階のステップに分けて説明する。
【００４７】
ステップＳ２−１
ＣＰＥ１００が稼動を開始すると初期化設定部１０７がｘＤＳＬ・Ｉ／Ｆ部１０１、送受信制御部１０２、品質検出部１０３、信号検出部１０４を制御し、初期化設定を実行する。初期化設定では最初にモード設定が実行され、例えばアネックスＣモードが設定される。次にトレーニングが実行され所定の搬送周波数とデータの通信速度が設定される。ここで設定された、モード、搬送周波数、データの通信速度等は、初期化設定部１０７によってデータ記憶部１０９へ履歴として格納される。初期化設定後データ通信が開始される。
【００４８】
ステップＳ２−２
ループ試験実行部１０８は、ｘＤＳＬ・Ｉ／Ｆ部１０１及び送受信制御部１０２を制御し、予め定められデータ記憶部１０９に格納されている所定の制御信号を所定の時間間隔で制御チャネルに送信し、ＤＳＬＡＭ２００（図１）から制御信号に対する応答信号を受信するループ試験を実行する。
【００４９】
ステップＳ２−３
装置状態判断部１０５は、ｘＤＳＬ・Ｉ／Ｆ部１０１、送受信制御部１０２、品質検出部１０３、及び信号検出部１０４を介して下り方向監視制御チャネル２１５を流れる応答信号から所定の監視データを取得する。監視データを取得すると、データ記憶部１０９から、予め設定されている装置状態が正常である場合の閾値を取得して対比する。もし、監視結果が閾値を満足する場合には装置状態正常と判断し、装置状態正常通知を回線状態判断部１０６へ送出してステップＳ２−４へ進む。もし、監視結果が閾値を満足しない場合には装置状態異常と判断し、図示しない警報手段から所定の警報を発して管理者に通知して以後の処理を停止させる。
【００５０】
ステップＳ２−４
回線状態判断部１０６は、装置状態判断部１０５から装置状態正常通知を受入れると、ｘＤＳＬ・Ｉ／Ｆ部１０１、送受信制御部１０２、品質検出部１０３、及び信号検出部１０４を介して下り方向ユーザ・トラフィック２１６を流れるデータ信号から所定の監視データを取得する。監視データを受入れると、データ記憶部１０９から、予め設定されている回線状態が正常である場合の閾値を取得して対比する。もし、監視結果が閾値を満足する場合には回線状態正常と判断し、次回のループ試験までデータ通信を継続させる。もし、監視結果が閾値を満足しない場合には回線状態異常と判断し、回線状態異常通知を初期化設定部１０７へ送出する。
【００５１】
ステップＳ２−５
初期化設定部１０７は、回線状態判断部１０６から回線状態異常通知を受入れると、ユーザ・トラフィックを停止させ、上記ステップＳ２−１と同様の手順で初期化設定を再度実行する。以後、ステップＳ２−１からステップＳ２−４は繰り返し実行される。
【００５２】
上記ステップＳ２−４で回線状態判断部１０６が回線状態異常と判断する条件は以下の通りである。
（１）フィールド開通時にユーザトラフィックにおけるデータ通信速度を測定しておき、測定した値を基準データ通信速度として予めデータ記憶部１０９へ格納しておく。ステップＳ２−４で取得したデータ通信速度が、基準データ通信速度よりも所定の割合低下し、その低下した状態が所定の時間以上継続した場合回線状態異常と判断する。ここで所定の割合、及び所定の時間は予め定められデータ記憶部１０９へ格納されている。
（２）その他、各システムの事情に応じてあらかじめ定められている特定の監視項目に対して、規定値を超えたとき回線状態異常と判断する。この規定値は予め定められデータ記憶部１０９へ格納されている。
【００５３】
以上説明したように、本実施例によればＤＳＬＡＭ２００（図１）から、予め定められデータ記憶部２０７（図２）格納されている所定の制御信号を所定の時間間隔で制御チャネルに送信し、ＣＰＥ１００（図１）に対するループ試験を実行し、ＣＰＥ１００（図１）の装置状態が正常であることを確認した後にＤＳＬＡＭ２００（図１）とＣＰＥ１００（図１）との間に形成されるユーザトラフィックの回線状態を判断することになるので、その判断結果は正確になり、回線障害に対して適切、且つ迅速なる対応が可能になるという効果を得る。
【実施例２】
【００５４】
本実施例では、ＣＰＥにＬＡＮが接続されている場合を想定し、ＬＡＮ内部に障害が発生している場合にＤＳＬＡＭが、誤判断するのを防止することを目的とする。かかる目的を達成するために実施例２のＣＰＥは以下のように構成される。
【００５５】
図４は、実施例２によるＣＰＥの機能ブロック図である。
この図は、本発明の目的である、ｘＤＳＬ通信システムにおけるユーザ・トラフィックを監視、及び制御し、通信品質を良好に維持し、回線障害に対して適切、且つ迅速な対応を可能にする機能を主にして、実施例２の構成を説明するためのＣＰＥの機能ブロック図である。
【００５６】
図に示すように本実施例によるＣＰＥ３００は、ｘＤＳＬ・Ｉ／Ｆ部１０１と、送受信制御部１０２と、品質検出部１０３と、信号検出部１０４と、装置状態判断部１０５と、回線状態判断部１０６と、初期化設定部１０７と、ループ試験実行部１０８と、データ記憶部１０９と、ＬＡＮ・Ｉ／Ｆ部１３１と、ＬＡＮ送受信制御部１３２と、自律診断実行部１３３と、ＣＰＵ１３４と、ＲＯＭ１３５と、ＲＡＭ１１２と、共通バス１１３とを備える。以下に実施例１と相違する部分のみについて説明する。実施例１と同様の部分については、実施例１と同一の符号を付して説明を省略する。
【００５７】
ＬＡＮ・Ｉ／Ｆ部１３１は、ＣＰＥ３００と、ＬＡＮ伝送路３０１とを通信接続するインタフェース回路である。
【００５８】
ＬＡＮ送受信制御部１３２は、ＬＡＮ・Ｉ／Ｆ部１３１を制御し、ＣＰＥ３００と、ＬＡＮ伝送路３０１との間で所定の制御信号、及びデータ信号を送受信させる部分である。この部分は、ＲＯＭ１３５に予め格納されている所定の制御プログラムをＣＰＵ１３４が実行することによって起動・生成される機能をブロックで表した部分である。
【００５９】
自律診断実行部１３３は、予め定められている時間間隔で、予め定められている制御信号をＬＡＮ送受信制御部１３２、及びＬＡＮ・Ｉ／Ｆ部１３１を介してＬＡＮ伝送路３０１へ送信し、その応答信号を受入れて、予め定められている閾値と比較し、応答信号が、その閾値を満足しない場合にはＬＡＮ状態異常通知を生成し、実施例１で説明した定期的なループ試験の応答信号に含めてＤＳＬＡＭ２００（図１）へ送信する部分である。この部分は、ＲＯＭ１３５に予め格納されている所定の制御プログラムをＣＰＵ１３４が実行することによって起動・生成される機能をブロックで表した部分である。尚、ここで予め定められている時間間隔、予め定められている制御信号、予め定められている閾値は、データ記憶部１０９に予め格納される。
【００６０】
ＣＰＵ１３４は、ＲＯＭ１３５に予め格納されている所定の制御プログラムを実行してＣＰＥ３００全体を制御するマイクロプロセッサである。特に本実施例では、上記実施例１に於ける制御に追加して、ＲＯＭ１３５に予め格納されている所定の制御プログラムを実行して、上記ＬＡＮ送受信制御部１３２、と自律診断実行部１３３を起動・生成する部分である。
【００６１】
ＲＯＭ１３５は、ＣＰＵ１３４が実行して、ＣＰＥ３００全体を制御する制御プログラム、上記実施例で格納する制御プログラムに追加して、ＣＰＵ１３４が実行してＬＡＮ送受信制御部１３２、と自律診断実行部１３３を起動・生成する制御プログラムを格納するリードオンリーメモリである。
【００６２】
以上説明したように、本実施例では、上記実施例１の構成にＬＡＮ・Ｉ／Ｆ部１３１、ＬＡＮ送受信制御部１３２、及び自律診断実行部１３３を追加することによって、ＣＰＥにＬＡＮが接続されている場合であって、ＬＡＮ内部に障害が発生している場合であっても、ＤＳＬＡＭが、誤判断するのを防止することができるという効果を得る。
【産業上の利用可能性】
【００６３】
以上の説明では、本発明をｘＤＳＬ装置に適用した例について説明したが、ＤＳＬＡＭをＥ−ＰＯＮのＯＮＵ（光回線終端装置）、ＣＰＥをＥ−ＰＯＮのＯＴＬ（顧客側の装置と光終端装置）と置き換えることによって、Ｅ−ＰＯＮ（Ｅｔｈｅｒｎｅｔ  Ｐａｓｓｉｖｅ  Ｏｐｔｉｃａｌ  Ｎｅｔｗｏｒｋ）にも適用可能である。また、ＤＳＬＡＭをＭＣ（メディアコンバータ）の局側の集合型ＭＣに、ＣＰＥをＭＣのユーザ宅側の単体型ＭＣと置き換えれば、ＭＣ装置にも適用可能である。ここで、Ｅｔｈｅｒｎｅｔはゼロックス社の登録商標である。
【図面の簡単な説明】
【００６４】
【図１】本発明によるＤＳＬＡＭ及びＣＰＥを含む通信システムの構成図である。
【図２】本発明によるＤＳＬＡＭの機能ブロック図である。
【図３】実施例１によるＣＰＥの機能ブロック図である。
【図４】実施例２によるＣＰＥの機能ブロック図である。
【符号の説明】
【００６５】
２０１    ｘＤＳＬ・Ｉ／Ｆ部
２０２    送受信制御部
２０３    品質検出部
２０４    信号検出部
２０５    装置状態判断部
２０６    回線状態判断部
２０７    データ記憶部
２０８    初期化設定部
２０９    ループ試験実行部
２１０    ＣＰＵ
２１１    ＲＯＭ
２１２    ＲＡＭ
【図１】
2007194826.tif 000003
【図２】
2007194826.tif 000004
【図３】
2007194826.tif 000005
【図４】
2007194826.tif 000006